(57)【要約】【課題】端子金具の挿入時の傾きを規制することを目的とする。【解決手段】電線Ｗの端末に接続される端子金具１０と、前記端子金具１０を後方から収容するキャビティ２１が複数形成されたハウジング２０と、前記キャビティ２１の後方に装着され、前記電線Ｗが貫通する貫通孔５０が設けられた防水シール４０と、前記防水シール４０の後方に装着され、前記防水シール４０を前記ハウジング２０に係止すると共に、前記端子金具１０を後方から前記キャビティ２１内に挿通可能とする端子挿通孔６７が設けられたリアホルダ６０と、前記リアホルダ６０の前記端子挿通孔６７の周縁部に設けられ前記防水シール４０側に突出して前記端子金具１０の挿通時に該端子金具１０の傾きを規制する規制壁７０とを備える。【選択図】図１２
2016143574.tif 000002
【特許請求の範囲】
【請求項１】
電線の端末に接続される端子金具と、
前記端子金具を後方から収容するキャビティが複数形成されたハウジングと、
前記キャビティの後方に装着され、前記電線が貫通する貫通孔が設けられた防水シールと、
前記防水シールの後方に装着され、前記防水シールを前記ハウジングに係止すると共に、前記端子金具を後方から前記キャビティ内に挿通可能とする端子挿通孔が設けられたリアホルダと、
前記リアホルダの前記端子挿通孔の周縁部に設けられ前記防水シール側に突出して前記端子金具の挿通時に該端子金具の傾きを規制する規制壁とを備える防水コネクタ。
【請求項２】
前記防水シールには、前記規制壁を収容する規制壁収容部が設けられている請求項１に記載の防水コネクタ。
【請求項３】
前記ハウジングには、前記キャビティの後端開口縁部から前記防水シール方向に突出し、その突出端から前記キャビティの後端開口に向けて傾斜する誘い込み壁が設けられている請求項１または請求項２に記載の防水コネクタ。
【請求項４】
前記防水シールには、前記誘い込み壁を収容する誘い込み壁収容部が設けられている請求項３に記載の防水コネクタ。
【請求項５】
前記リアホルダは、前記防水シールの前記貫通孔を縮径方向に押圧可能な押圧部を備えており、
該リアホルダは、前記ハウジング内で、前記押圧部が前記貫通孔を押圧しない仮係止位置と、前記押圧部が前記貫通孔を押圧する本係止位置とに移動可能となっている請求項１から請求項４のいずれか一項に記載の防水コネクタ。
【発明の詳細な説明】
【技術分野】
【０００１】
本明細書に開示される技術は、防水コネクタに関する。
【背景技術】
【０００２】
例えば、電線の挿通孔が複数形成された防水シール（マットシール）を有する防水コネクタとして、特開２０１４−１１６１５２号公報（特許文献１）に記載のものが知られている。マットシールは、ハウジングの後部に後方から嵌装され、ハウジングの後端部に装着されるマットシールカバーによって抜け止めされている。
【０００３】
マットシールカバー及びマットシールは、仮係止位置と本係止位置との間を前後方向に移動可能とされている。本係止位置よりも後方に設けられた仮係止位置では、ハウジング内周壁がマットシールを圧縮しないようにされており、本係止位置では、ハウジング内周壁がマットシールを圧縮するようになっている。また、マットシールカバーには、端子を挿入可能な端子挿入孔が設けられている。そして、仮係止位置では、端子挿通孔に縮径方向の力がかかっていないため端子挿通抵抗を小さくできる一方で、マットシールの前端位置とハウジングの端子収容室の後端との間に隙間が形成される。この隙間によってハウジングの端子収容室に端子がうまく挿入されない虞がある。しかし、特開２０１４−１１６１５２号公報の防水コネクタでは、端子挿入孔に５つ設けられた内周リップによる締付力等によって、端子が隙間に落ち込まないようにしている。
【先行技術文献】
【特許文献】
【０００４】
【特許文献１】特開２０１４−１１６１５２号公報
【発明の概要】
【発明が解決しようとする課題】
【０００５】
しかしながら、特開２０１４−１１６１５２号公報（上記特許文献１）のように、端子を水平状態に保持できる程度に内周リップの締付力を大きくすると、端子の挿入作業が行いにくくなるため、端子をねじ込むことになり、リップなどを傷つけやすくなる。また、マットシールは弾性部材でできているため、特にその端部においては姿勢の保持力が小さく、隙間において端子が斜めになってしまうことがある。
【課題を解決するための手段】
【０００６】
本明細書で開示される防水コネクタは、電線の端末に接続される端子金具と、前記端子金具を後方から収容するキャビティが複数形成されたハウジングと、前記キャビティの後方に装着され、前記電線が貫通する貫通孔が設けられた防水シールと、前記防水シールの後方に装着され、前記防水シールを前記ハウジングに係止すると共に、前記端子金具を後方から前記キャビティ内に挿通可能とする端子挿通孔が設けられたリアホルダと、前記リアホルダの前記端子挿通孔の周縁部に設けられ前記防水シール側に突出して前記端子金具の挿通時に該端子金具の傾きを規制する規制壁とを備える。
【０００７】
このような構成によると、リアホルダによって、端子金具の傾きを規制することができるため、端子金具をキャビティ内に挿入するのが容易になる。そのため、端子金具がハウジングのキャビティ外に衝突することを抑制することができる。
【０００８】
本明細書に開示される防水コネクタの実施の態様として、以下の構成としてもよい。
前記防水シールには、前記規制壁を収容する規制壁収容部が設けられている構成としても良い。
このような構成によると、規制壁が防水シールの規制壁収容部に収容されるため、防水シールとリアホルダの密着時に余計な負荷がかからなくなる。
【０００９】
前記ハウジングには、前記キャビティの後端開口縁部から前記防水シール方向に突出し、その突出端から前記キャビティの後端開口に向けて傾斜する誘い込み壁が設けられている構成としても良い。
このような構成によると、端子金具が多少傾いていても、誘い込み壁によってキャビティ内に誘導されるため、端子金具をキャビティ内に挿入するのがさらに容易になる。
【００１０】
前記防水シールには、前記誘い込み壁を収容する誘い込み壁収容部が設けられている構成としても良い。
このような構成によると、誘い込み壁が防水シールの誘い込み壁収容部に収容されるため、防水シールにとハウジングの密着時に余計な負荷がかからなくなる。
【００１１】
前記リアホルダは、前記防水シールの前記貫通孔を縮径方向に押圧可能な押圧部を備えており、該リアホルダは、前記ハウジング内で、前記押圧部が前記貫通孔を押圧しない仮係止位置と、前記押圧部が前記貫通孔を押圧する本係止位置とに移動可能となっている構成としても良い。
このような構成によると、仮係止位置ではリアホルダとキャビティとの間の隙間が大きくなるため、このような構造を用いるのに好適である。
【発明の効果】
【００１２】
本明細書に開示された防水コネクタによれば、端子金具の挿入時の傾きを規制することができる。
【図面の簡単な説明】
【００１３】
【図１】実施形態に係る防水コネクタの斜視図
【図２】防水コネクタの分解斜視図
【図３】防水コネクタの分解斜視図
【図４】防水コネクタの背面図
【図５】防水シールの背面図
【図６】リアホルダの正面図
【図７】リアホルダの背面図
【図８】リアホルダの側面図
【図９】リアホルダの平面図
【図１０】リアホルダの底面図
【図１１】図４におけるＸＩ−ＸＩ線における断面図
【図１２】リアホルダが仮係止位置に配された状態を示す断面図であって、端子金具の挿入途中の状態を示す断面図
【図１３】図１２におけるＸＩＩＩ位置の一部拡大断面図
【図１４】比較例におけるリアホルダが仮係止位置に配された状態を示す断面図であって、端子金具の挿入途中の状態を示す断面図
【図１５】図１４におけるＸＶ位置の一部拡大断面図
【発明を実施するための形態】
【００１４】
＜実施形態＞
実施形態について図１から図１３を参照して説明する。
本実施形態における防水コネクタＣは、電線Ｗ（図１２参照）の端末に接続された雌端子金具１０（「端子金具」の一例）と、雌端子金具１０を収容するハウジング２０と、ハウジング２０の後端側に嵌着されてハウジング２０の内部をシールする一括ゴム栓４０（「防水シール」の一例）と、一括ゴム栓４０の後側に組み付けられて一括ゴム栓４０の後方への抜け止めを図るリアホルダ６０と、を備えた防水コネクタである。このコネクタＣには、回動操作されることで図示しない相手側コネクタとの嵌合動作および離脱動作を助勢するレバーＬが備えられている。以下、各構成部材において、前後方向とは、相手側との嵌合面側を前方、その反対側を後方とし、また、上下方向とは、高さ方向に相当し、図１の上側を上方、下側を下方として説明する。
【００１５】
雌端子金具１０は、図１２に示すように、導電性金属板をプレス加工等することで形成されている。雌端子金具１０は、角筒状をなす端子接続部１１と、端子接続部１１の後方に端子接続部１１と底面１０Ａを共通とする電線接続部１３とが設けられた形態とされている。そして、電線接続部１３が電線Ｗの端末にかしめ圧着されることで、電線Ｗの端末に雌端子金具１０が接続されている。端子接続部１１には、後記するキャビティ２１内で姿勢を保つための姿勢保持部１５が上方に向かって突出するように設けられている。また、端子接続部１１には、相手方コネクタに設けられた図示しない雄端子が前方から挿入されることで、端子接続部１１と雄端子金具とが電気的に接続されるようになっている。
【００１６】
なお、電線Ｗの端末に雌端子金具１０が圧着された状態では、端子接続部１１と電線接続部１３とは左右方向（幅方向）の位置や下側の位置は同じであるものの、その上端の位置が、電線接続部１３の上端位置は姿勢保持部１５を含む端子接続部１１の上端位置に比べて下側になっている。つまり、電線接続部１３の高さ寸法（上下方向の寸法）は、端子接続部１１の高さ寸法の略半分程度となっている。この端子接続部１１と電線接続部１３との高さ寸法の差によって、端子接続部１１が後述するリアホルダ６０等に挿入される際に、電線接続部１３と端子挿通孔６７の内壁との間に空間Ｓができることになる。
【００１７】
ハウジング２０は合成樹脂製であって、図１から図４に示すように、略方形のブロック状をなしている。ハウジング２０の内部には、雌端子金具１０を収容する複数のキャビティ２１が前後方向に貫通して形成されている。複数のキャビティ２１は、幅方向横並びに複数（本実施形態では９つ）配された一群が上下方向に複数段（本実施形態では４段）に亘って配された構成とされている。
【００１８】
各キャビティ２１の前端部分には、図１２示すように、雌端子金具１０の端子接続部１１を一次係止するランス２３が形成されている。このランス２３はキャビティ２１の上面から前方に向けて片持ち状に形成されており、雌端子金具１０がキャビティ２１の正規の位置に至ると、ランス２３が端子接続部１１に係止することで、雌端子金具１０がキャビティ２１内に抜け止めされている。
【００１９】
ハウジング２０のランス２３の後方には、雌端子金具１０を二次係止するリテーナ２５が装着されるリテーナ装着孔２７が上方に開口して形成されている。このリテーナ装着孔２７は、各キャビティ２１に連通している。そして、リテーナ装着孔２７の前方のキャビティ２１には、端子接続部１１が収容され、リテーナ装着孔２７の後方のキャビティ２１には、電線接続部１３の大部分が収容される。
【００２０】
ハウジング２０の後部には、図３及び図１１に示すように、後方に開口する収容凹部３０がハウジング２０の後面から前方に凹んで形成されている。収容凹部３０は、後方から見ると四隅が弧状とされた略方形をなしている。収容凹部３０の前側部分には一括ゴム栓４０が収容され、後側部分にはリアホルダ６０が収容される。収容凹部３０の上下面には、後述するリアホルダ６０の仮係止突部６１を係止可能な仮係止孔３１が一対設けられている。また、収容凹部３０の左右の側面には、後述するリアホルダ６０の本係止突部６３を係止可能な本係止孔３３が一対設けられている。
【００２１】
収容凹部３０の前端面３０Ａからは、図３に示すように、後述する一括ゴム栓４０の位置決め孔４１（図２参照）に挿入されて、一括ゴム栓４０を雌端子金具１０の挿入時に位置決めする位置決め突部３５が後方（一括ゴム栓４０側）に突出している。位置決め突部３５は、円柱状をなしており、その先端部分が弧を描く先細り形状となっている。位置決め突部３５は、各キャビティ２１の間に位置するようになっている。
【００２２】
収容凹部３０の前端面３０Ａからは、図３及び図１１に示すように、誘い込み壁３７が後方（一括ゴム栓４０側）に突出している。誘い込み壁３７は、各キャビティ２１の底面の後端縁部から連設しており、後方に行くほど高さ寸法が小さくなるように、その上面が傾斜する傾斜面３７Ａとなっている。誘い込み壁３７は、各キャビティ２１の幅寸法とほぼ同じ幅寸法を有している。また、各キャビティ２１の内壁の上面の後端部が上方に向かって広く開口するガイド面２９となっている。
【００２３】
一括ゴム栓４０は、図２及び図３に示すように、収容凹部３０に隙間なく嵌合可能な略方形の厚板状に形成されている。一括ゴム栓４０の外周には、収容凹部３０の内壁面に対して弾性的に密着してその間を水密状態とする外周リップ４３が形成されている。また、一括ゴム栓４０の前面には、位置決め突起３５を装着可能な位置決め孔４１が設けられている。位置決め孔４１は、後述する貫通孔５０の間に設けられている。
【００２４】
また、一括ゴム栓４０には、電線Ｗが貫通する貫通孔５０が複数形成されている。複数の貫通孔５０は、各キャビティ２１と対応して形成されている。各貫通孔５０のうち前後方向における中心部分は、電線Ｗの外周面に密着する密着部５１とされている。密着部５１は略円形断面をなし、電線Ｗの外周面に弾性的に密着する内周リップ５３が前後方向に２条並んで周設されている（図１２参照）。これらの内周リップ５３は、互いに近づくほど貫通孔５０の軸心に向けて突出する肉厚な形態に形成されており、内周リップ５３が電線Ｗの外周面に密着することで一括ゴム栓４０と電線Ｗとの間をシールするようになっている。
【００２５】
また、貫通孔５０のうち密着部５１の前後には、密着部５１よりも上下方向の開口寸法が大きくされた拡開部５５が設けられている。拡開部５５は、密着部５１に向かって緩い弧状をなして凹む形状とされている。また、拡開部５５は、雌端子金具１０の端子接続部１１よりも大きく開口している。拡開部５５の上側は、その上縁が緩い弧状をなしている。
【００２６】
前側の拡開部５５Ａの下側は、図２及び図１１等に示すように、その弧状の途中から、直線状に下側に開口し、また下縁も直線状をなしている。このようにして、前側の拡開部５５Ａの下側に連なるようにして設けられた方形状に開口した部分が、誘い込み壁３７を収容可能な誘い込み壁収容部５７となっている。
【００２７】
一方、後側の拡開部５５Ｂの下側は、図３、図５及び図１１等に示すように、その弧状の途中から、中央部分の一部が直線状に下側に開口し、後述する嵌合凹部４５に連なるようにして開口している。このようにして、後側の拡開部５５Ｂの下側と嵌合凹部４５との間に連なるようにして設けられた方形状に開口した部分が、後述するリアホルダ６０の支持壁７０（「規制壁」の一例）を収容可能な支持壁収容部５９（「規制壁収容部」の一例）となっている。
【００２８】
一括ゴム栓４０の後面には、後述するリアホルダ６０に設けられた嵌合凸部６５が嵌合する嵌合凹部４５が設けられている。嵌合凹部４５は、上下の貫通孔５０の間に３段に亘って設けられている。嵌合凹部４５は、後方からみると、横長形状をなし、貫通孔５０の３つ分にわたる幅寸法を有している（図５参照）。嵌合凹部４５の上縁と下縁の形状は、貫通孔５０の上縁と下縁の形状に合わせた弧状が連続する形状となっている。
【００２９】
嵌合凹部４５は、図１１等に示すように、後方から貫通孔５０の密着部５１の前端とほぼ同じ位置まで開口している。また、嵌合凹部４５には、嵌合凸部６５によって外側に強く押圧される押圧用リップ部４７が奥側に上下に一対形成されている。一対の押圧用リップ部４７は、貫通孔５０の密着部５１に設けられた一対の内周リップ５３と、前後方向の位置がそれぞれほぼ同じとされている。なお、嵌合凹部４５の内押圧用リップ部４７よりも後側の領域では、嵌合凸部６５と略同じか若干大きい上下方向の内寸法を有しており、その後端縁が若干幅広となるようにテーパー状になっている。
【００３０】
リアホルダ６０は、合成樹脂製であって、図２に示すように、全体として略方形の厚板状に形成され、収容凹部３０にほぼ緊密に嵌合し得るものとされている。リアホルダ６０は、ハウジング２０の内部に雌端子金具１０を収容する際には仮係止状態にされ、雌端子金具１０を収容し終えると前方に移動させて本係止状態にされるものである。
【００３１】
リアホルダ６０は、図３に示すように、仮係止状態において収容凹部３０の仮係止孔３１係止する仮係止突部６１と、本係止状態において収容凹部３０の本係止孔３３に係止する本係止突部６３とを有している。仮係止突部６１は、リアホルダ６０の上面および下面に２つずつ設けられ、本係止突部６３は、リアホルダ６０の両側面に連結して２つずつ設けられている。
【００３２】
リアホルダ６０には、図６及び図９等に示すように、リアホルダ６０が仮係止状態から本係止状態に移行するのに伴って、一括ゴム栓４０の嵌合凹部４５に嵌合する嵌合凸部６５が設けられている。嵌合凸部６５は、嵌合凹部４５を弾性的に押し広げるようにして嵌合凹部４５に嵌合することにより、貫通孔５０の密着部５１を縮径方向に押圧する。
【００３３】
嵌合凸部６５は、リアホルダ６０の前面６０Ａに突設されている（図６参照）。嵌合凸部６５は、すべての嵌合凹部４５に対応する位置に設けられている。そして、嵌合凸部６５は、嵌合凹部４５の形状に沿う外形をなし、全体として、横方向に長い柱状をなしている。仮係止位置において、嵌合凸部６５は嵌合凹部４５における貫通孔５０の後側の拡開部５５Ｂに相当する位置まで挿入される程度に突出している。つまり、仮係止位置においては、嵌合凸部６５は嵌合凹部４５における貫通孔５０の密着部５１に相当する位置には入り込んでおらず、貫通孔５０において、密着部５１の部分が圧縮されない。
【００３４】
リアホルダ６０には、図６及び図７に示すように、端子接続部１１を前後方向に挿通可能な端子挿通孔６７が設けられている。端子挿通孔６７は、一括ゴム栓４０の貫通孔５０と対応して複数設けられている。すべての端子挿通孔６７は、略同形状をなしている。端子挿通孔６７の断面形状は、全体として上下方向に長い長方形状をなし、その幅寸法および上下方向の寸法は、貫通孔５０の後端（支持壁収容部５９を除く拡開部５５の後端）の同方向の寸法とそれぞれ同等とされている（図１１参照）。端子挿通孔６７の下面は、水平な面とされている一方、端子挿通孔６７の上面は、姿勢保持部１５を通過可能とするように姿勢保持部１５が設けられた端部が最も上側に位置するように段差状に形成されている。
【００３５】
リアホルダ６０の前面６０Ａからは、図６、図８及び図１２等に示すように、支持壁７０が前方（一括ゴム栓４０側）に突出している。支持壁７０は、各端子挿通孔６７の下面（雌端子金具１０の底面１０Ａと接する面）の前端縁部から突出しており、略方形状となっている。支持壁７０の上面と端子挿通孔６７の下面とは面一となっている。そして、支持壁７０は、各端子挿通孔６７の幅寸法より若干小さい幅寸法となっている。また、嵌合凸部６５がその下側に設けられた支持壁７０は、嵌合凸部６５の上面に連設している。支持壁７０の前方への突出寸法は、嵌合凸部６５の突出寸法よりかなり小さくなっている。
【００３６】
次に、上記防水コネクタＣにおいて雌端子金具１０をハウジング２０に収容する手順の一例を説明する。なお、雌端子金具１０を挿入する前には、一括ゴム栓４０は非圧縮の状態（弾性変形していない状態）で、位置決め孔４１がハウジング２０の位置決め突部３５に装着されている。一括ゴム栓４０の装着後、リアホルダ６０は、仮係止突部６１が仮係止孔３１に係止され、仮係止位置に保持されている。また、端子接続部１１の前進を可能にするべく、リテーナ２５は仮係止位置に保持されている。
【００３７】
まず、図１２に示すように、電線Ｗの端末に接続された雌端子金具１０をハウジング２０の後方に配置し、雌端子金具１０を後方からキャビティ２１に挿入する。
ここで、雌端子金具１０は、リアホルダ６０の端子挿通孔６７に後方から挿入され、端子接続部１１は、端子挿通孔６７内を前方に向けて滑らかに進入する。
【００３８】
端子接続部１１の先端が端子挿通孔６７を通過したところで、一括ゴム栓４０の貫通孔５０に進入する。ここで、端子挿通孔６７の前端と一括ゴム栓４０の後端との間には、隙間があいているが、支持壁７０によって端子接続部１１が下側に向きにくくなっている。そして、貫通孔５０の拡開部５５Ｂは端子接続部１１よりも上下に大きく開口しており、嵌合凸部６５は嵌合凹部４５の押圧用リップ部４７が形成された領域には入り込んでおらず貫通孔５０は縮径される前の状態であるから、端子接続部１１は内周リップ５３を滑らかに乗り越えて密着部５１に進入する。
【００３９】
そして、端子接続部１１が密着部５１を通過すると、誘い込み壁３７及びガイド面２９によって、端子接続部１１がキャビティ２１内の上下方向の正規位置に移動して、前進する。そして、端子接続部１１がキャビティ２１の正規の位置に至ると、端子接続部１１がランス２３によって後方から係止されることで、雌端子金具１０の後方への抜け止めがなされる。また、このとき、一括ゴム栓４０の内周リップ５３が電線Ｗの外周面に弾性的に密着し、外周リップ４３が収容凹部３０の内周面に全周に亘って弾性的に密着した状態となる。
【００４０】
そして、全ての雌端子金具１０の挿入作業が完了すると、仮係止位置に保持されたリアホルダ６０を収容凹部３０に押し込んで本係止位置に変位させる。ここで、リアホルダ６０が前方へ押圧されると、リアホルダ６０の嵌合凸部６５が一括ゴム栓４０の嵌合凹部４５内に進入し、押圧用リップ部４７を上下に押圧する。すると、嵌合凹部４５の上下に配された貫通孔５０の密着部５１が貫通孔５０を上下から縮径するように押圧された状態となる。これにより、内周リップ５３が電線Ｗに対して強く密着すると共に、外周リップ４３が収容凹部３０の内周面に強く密着した状態となり、電線Ｗとハウジング２０との間のシール性が高い状態に確保される。
【００４１】
最後に、仮係止状態のリテーナ２５をリテーナ装着孔２７に挿入して本係止状態にし、端子接続部１１をリテーナ２５によって後方から係止する。これにより、雌端子金具１０がランス２３とリテーナ２５とによって二重に係止され、防水コネクタＣが完成する。
【００４２】
次に、本実施形態の効果について説明する。本実施形態の効果を説明するために、まず、図１４及び図１５の比較例の防水コネクタＣ１を説明する。この比較例の防水コネクタＣ１では、リアホルダ１６０には、支持壁７０が設けられておらず、ハウジング１２０の収容凹部１３０には、誘い込み壁３７が設けられていない。また、一括ゴム栓１４０には、誘い込み壁収容部５７及び支持壁収容部５９が設けられていない。ハウジング１２０、一括ゴム栓１４０及びリアホルダ１６０の構成は、支持壁７０と誘い込み壁３７と誘い込み壁収容部５７と支持壁収容部５９を備えていないこと及び拡開部１５５の形状以外は、ハウジング２０、一括ゴム栓４０及びリアホルダ６０と全て同じ構成であるため、同じ名称の部位には、同一の符号を付してある。
【００４３】
比較例においては、雌端子金具１０は、リアホルダ１６０の端子挿通孔６７に後方から挿入され、端子接続部１１は、端子挿通孔６７内を前方に向けて滑らかに進入する。そして、端子接続部１１の先端が端子挿通孔６７を通過したところで、一括ゴム栓１４０の貫通孔５０に進入する。この際に、嵌合凸部６５は嵌合凹部４５の押圧用リップ部４７が形成された領域には入り込んでおらず貫通孔５０は縮径されていない。特に、一括ゴム栓１４０は、嵌合凹部４５を形成しているため、上下方向に隙間を有しており、上下方向に弾性変形しやすい状態となっており、貫通孔５０は水平状態を保持する力が弱い。そのため、雌端子金具１０の上下方向の支持は端子挿通孔６７の前端部で行われることになる。
【００４４】
このような状態で雌端子金具１０を挿入していると、図１４及び図１５に示すように、端子挿通孔６７の内壁と電線接続部１３の間に空間Ｓがあることから、端子挿通孔６７の下面の前端縁を支点に雌端子金具１０の前端部分が下を向きやすくなっており、一括ゴム栓１４０を端子接続部１１が挿通する際に、前端部分が下側に落ち込んでしまう。そして、端子接続部１１の底面の前端位置が、端子挿通孔６７の下面の前端縁を支点に空間Ｓ１だけ電線接続部１３が持ち上がることでキャビティ２１の底面の後端位置よりも高さＨ１だけ下がってしまい、端子接続部１１がキャビティ２１に入らず、キャビティ２１の後端縁部に衝突する虞がある。
【００４５】
本実施形態においても、比較例の防水コネクタＣ１と同じく一括ゴム栓４０は、上下方向に弾性変形しやすく、貫通孔５０は雌端子金具１０を水平状態に保持する力が弱い。しかしながら、本実施形態では、図１２及び図１３に示すように、端子挿通孔６７の周縁部であって、雌端子金具１０の底面１０Ａと接触する面である下面の前端縁部から支持壁７０が突出していることで、雌端子金具１０を支持する位置が前方になる。そのため、端子接続部１１が支持壁７０の前端縁を支点に空間Ｓだけ電線接続部１３が持ち上がることで下側に落ち込んだとしても、端子接続部１１の底面の前端位置は、キャビティ２１の底面の後端位置よりも高さＨ２程度にしか下がらない。そのため、端子接続部１１がキャビティ２１に入らず、キャビティ２１の後端縁部に衝突することを抑制することができる。
【００４６】
さらに、キャビティ２１の底面から連なるように誘い込み壁３７が設けられ、その傾斜面３７Ａによって、キャビティ２１の底面位置よりも誘い込み壁３７の前端位置が高さＨ３ほど低いところに設けられている。ここで、キャビティ２１の後端と端子接続部１１の前端とのギャップの高さＨ２は、キャビティ２１の後端と誘い込み壁３７の後端とのギャップの高さＨ３よりもかなり小さいため、端子接続部１１は誘い込み壁３７の傾斜面３７Ａに当接して、キャビティ２１内に進入することになる。そのため、端子接続部１１がキャビティ２１に入らず、キャビティ２１の後端縁部に衝突することを抑制することができる。
【００４７】
また、端子接続部１１がキャビティ２１の後端縁部に衝突することを抑制するために設けた支持壁７０や誘い込み壁３７によって、一括ゴム栓４０とリアホルダ６０及びハウジング２０との密着性が下がることを防止するために、一括ゴム栓４０には、支持壁収容部５９及び誘い込み壁収容部５７が設けられている。そのため、リアホルダ６０が本係止状態になり、一括ゴム栓４０が収容凹部３０の前端面３０Ａと密着し、リアホルダ６０の前面６０Ａと密着する際には、誘い込み壁３７が誘い込み壁収容部５７に収容され、支持壁７０は支持壁収容部５９に収容されることで、一括ゴム栓４０に余計な弾性変形が発生しない。
【００４８】
＜他の実施形態＞
本明細書で開示される技術は上記記述及び図面によって説明した実施形態に限定されるものではなく、例えば次のような実施形態も技術的範囲に含まれる。
（１）上記実施形態では、雌端子金具１０の端子接続部１１は角筒状をなすものとされているが、これに限らず、例えば、端子金具の端子接続部は円筒状をなすものであってもよい。また、雄端子金具であっても良い。
【００４９】
（２）上記実施形態では、本発明を、縦方向にも横方向にも複数の雌端子金具１０がハウジング２０に収容される防水コネクタＣに適用した場合について説明したが、ハウジングに収容される端子金具が縦方向のみもしくは横方向のみに並んで収容される防水コネクタであっても良い。
【００５０】
（３）上記実施形態では、支持壁７０は、端子挿通孔６７の下縁部に設けられていたが、他の部分に設けられていても良い。
【００５１】
（４）上記実施形態では、誘い込み壁３７が設けられていたが、誘い込み壁がなくても良い。その場合には、キャビティ２１の後端部分をテーパー状にして開口部分が広くなるようにしても良い。
【００５２】
（５）上記実施形態では、嵌合凸部６５と嵌合凹部４５によって、一括ゴム栓４０の貫通孔５０を縮径するようにしていたが、他の方法で縮径するようにしても良い。
【００５３】
（６）上記実施形態では、一括ゴム栓４０に、拡開部５５、誘い込み壁収容部５７、支持壁収容部５９を設けていたが、設けなくても良い。また、誘い込み壁収容部５７及び支持壁収容部５９は、拡開部５５に連なるように設けられていたが、別体としても良い。
【００５４】
（７）上記実施形態では、一括ゴム栓４０は、複数の電線Ｗとハウジング２０との間を一括してシールするようになっていたが、個々の電線とハウジング（キャビティ）との間をシールするものであっても良い。
【符号の説明】
【００５５】
１０…雌端子金具（端子金具）
１０Ａ…底面
２０、１２０…ハウジング
２１…キャビティ
３０、１３０…収容凹部
３０Ａ…前端面
３７…誘い込み壁
３７Ａ…傾斜面
４０、１４０…一括ゴム栓（防水シール）
４５…嵌合凹部
４７…押圧用リップ部
５０…貫通孔
５１…密着部
５３…内周リップ
５５（５５Ａ、５５Ｂ）、１５５（１５５Ａ、１５５Ｂ）…拡開部
５７…誘い込み壁収容部
５９…支持壁収容部（規制壁収容部）
６０、１６０…リアホルダ
６０Ａ…前面
６５…嵌合凸部
６７…端子挿通孔
７０…支持壁（規制壁）
Ｃ、Ｃ１…防水コネクタ
Ｗ…電線
Ｓ…端子挿通孔の内壁と電線接続部との間の空間
Ｈ１…比較例におけるキャビティの後端と端子接続部の前端の高さギャップの寸法
Ｈ２…実施形態におけるキャビティの後端と端子接続部の前端の高さギャップの寸法
Ｈ３…キャビティの後端と誘い込み壁の後端の高さギャップの寸法
【図１】
2016143574.tif 000003
【図２】
2016143574.tif 000004
【図３】
2016143574.tif 000005
【図４】
2016143574.tif 000006
【図５】
2016143574.tif 000007
【図６】
2016143574.tif 000008
【図７】
2016143574.tif 000009
【図８】
2016143574.tif 000010
【図９】
2016143574.tif 000011
【図１０】
2016143574.tif 000012
【図１１】
2016143574.tif 000013
【図１２】
2016143574.tif 000014
【図１３】
2016143574.tif 000015
【図１４】
2016143574.tif 000016
【図１５】
2016143574.tif 000017